(57)【要約】【課題】従来のモータと比べて、より一層の軽量化および高放熱性を実現できるようにする。【解決手段】コイル４，６と、シャフト１を回動自在に支持するベアリング２ａ，２ｂと、ベアリング２ａ，２ｂを固定支持するエンドブラケット７およびハウジング８とを少なくとも備えて成る電動機において、コイル４，６に加えて、エンドブラケット７およびハウジング８を従来の鋼板より比重が小さいアルミニウムまたはアルミニウム合金により構成することにより、電動機をより軽量化するとともに、コイル４，６で発生した熱が、鋼板に比べて熱伝導率の良いアルミニウムまたはアルミニウム合金により構成されたエンドブラケット７およびハウジング８に伝わって効率良く放熱されるようにして、コイル４，６の内部発熱で温度上昇する電動機を効果的に冷却できるようにする。【選択図】図２
2013126298.tif 000002
【特許請求の範囲】
【請求項１】
コイルまたは巻線と、回転軸を回動自在に支持するベアリングと、上記ベアリングを固定支持するブラケットと、上記ベアリングを固定支持するハウジングとを少なくとも備えて成る回転電機において、
上記コイルまたは巻線、上記ブラケットおよび上記ハウジングをアルミニウムまたはアルミニウム合金により構成したことを特徴とする回転電機。
【請求項２】
上記ブラケットの側から上記ベアリングの側に向かって送風するための羽根と、当該羽根を覆うファンカバーとを更に備え、
上記ファンカバーを更にアルミニウムまたはアルミニウム合金により構成したことを特徴とする請求項１に記載の回転電機。
【発明の詳細な説明】
【技術分野】
【０００１】
本発明は回転電機に関し、例えば、掃除機や扇風機などの家電製品に用いて好適なものである。
【背景技術】
【０００２】
一般に、電気エネルギーの動力を必要とする家庭用の電気製品（家電）には、電動機が用いられている。家電の中でも、掃除機や扇風機のように頻繁に持ち運びして使用するものは、性能・機能を改良しつつ更なる小型化・軽量化が強く求められている。そのため、家電で使用される電動機についても、更なる小型化・軽量化を図ることが課題となっている。
【０００３】
従来、電動機の軽量化を図るために、銅線よりも比重の小さいアルミニウム線によりコイルを形成する技術が提案されている。しかし、アルミニウムは銅に比べて発熱量が大きいため、コイルの内部発熱によって電動機が加熱されやすくなってしまうという問題があった。そのため、アルミニウム線によりコイルを形成した場合には、コイルの内部発熱によって温度上昇する電動機を効率良く冷却することが必要となる。
【０００４】
このような問題に対して、円筒状のコイルをアルミニウム線により形成するとともに、当該コイルを保持する円盤状のハブをアルミニウムまたはアルミニウム合金により形成することにより、熱放散性および軽量化を図ったモータが提案されている（例えば、特許文献１参照）。また、コイルをアルミニウム線により形成するとともに、モータ取付板およびベアリングブッシュをアルミニウム合金で形成することにより、モータ内部で発生した熱を効率よく放熱することができるようにした軽量のモータも提案されている（例えば、特許文献２参照）。
【先行技術文献】
【特許文献】
【０００５】
【特許文献１】特開２００５−１９２２８０号公報
【特許文献２】特開２００５−３０４２８４号公報
【発明の概要】
【発明が解決しようとする課題】
【０００６】
上記特許文献１，２に記載された従来のモータによれば、ある程度は軽量化および高放熱性を実現することができる。しかしながら、今後ますます小型化する家電に使用することを考えると、モータの小型化により相対的に増える内部発熱を、より効率的に放熱することが求められる。そこで本発明は、上記従来のモータと比べて、より一層の軽量化および高放熱性を実現できるようにすることを目的とする。
【課題を解決するための手段】
【０００７】
上記した課題を解決するために、本発明では、コイルまたは巻線と、回転軸を回動自在に支持するベアリングと、ベアリングを固定支持するブラケットと、ベアリングを固定支持するハウジングとを少なくとも備えて成る回転電機において、コイルまたは巻線、ブラケットおよびハウジングをアルミニウムまたはアルミニウム合金により構成している。
【０００８】
本発明の他の態様では、ブラケットの側からベアリングの側に向かって送風するための羽根と、当該羽根を覆うファンカバーとを更に備えて成る回転電機において、当該ファンカバーを更にアルミニウムまたはアルミニウム合金により構成している。
【発明の効果】
【０００９】
上記のように構成した本発明によれば、コイルまたは巻線に加えて、実装量の大きくなるブラケットおよびハウジングについても、従来の鋼板より比重が小さいアルミニウムまたはアルミニウム合金により構成されているので、回転電機をより軽量化することができる。しかも、アルミニウムまたはアルミニウム合金は鋼板に比べて熱伝導率が良いので、コイルまたは巻線で発生した熱が、アルミニウムまたはアルミニウム合金により構成されたブラケットおよびハウジングに伝わって効率良く放熱される。これにより、コイルまたは巻線の内部発熱で温度上昇する回転電機を効果的に冷却することができる。
【００１０】
また、本発明の他の態様によれば、送風のための羽根とファンカバーとを更に備えて成る回転電機において、実装量の大きくなるファンカバーがアルミニウムまたはアルミニウム合金により構成されているので、羽根付きの回転電機をより軽量化することができる。しかも、送風された空気の通路に当たるブラケットとハウジングが熱伝導率の良いアルミニウムまたはアルミニウム合金により構成されているので、コイルまたは巻線の内部発熱をブラケットおよびハウジングに効率よく伝えて、より高速に放熱させることができる。
【図面の簡単な説明】
【００１１】
【図１】本実施形態による電動機の構成例を示す断面図である。
【図２】本実施形態による電動機の構成例を示す分解図である。
【発明を実施するための形態】
【００１２】
以下、本発明の一実施形態を図面に基づいて説明する。図１および図２は、本発明による回転電機の一実施形態である電動機（モータ）の構成例を示す図である。図１は電動機の断面図、図２は電動機の分解図である。本実施形態の電動機は、例えば掃除機や扇風機などの家電に用いて好適なものである。
【００１３】
図１および図２に示すように、本実施形態の電動機は、シャフト（出力軸）１、当該シャフト１を回動自在に支持するベアリング２ａ，２ｂ、回転子であるロータコア３、当該ロータコア３に巻かれたロータコイル４、固定子であるステータコア５、当該ステータコア５に巻かれたステータコイル６、ベアリング２ａを固定支持するエンドブラケット７、ベアリングを固定支持するとともに上記の各部を全体として覆うハウジング８を備えている。
【００１４】
また、本実施形態の電動機は、エンドブラケット７の側からベアリング２ｂの側に向かって送風するための羽根車９、当該羽根車９の回転を案内するガイドベーン（案内羽根）１０、羽根車９を覆うファンカバー１１を更に備えている。図１には、羽根車９によって送られる風の通路を矢印で示している。
【００１５】
本実施形態において、ロータコイル４、ステータコイル６、エンドブラケット７およびハウジング８は、アルミニウムにより構成している。アルミニウムは、従来の電動機で一般的に用いられてきた鋼板に比べて比重が小さいので、電動機の軽量化を図ることができる。特に、実装量が大きくなるエンドブラケット７やハウジング８をアルミニウムにより構成しているので、軽量化の効果を高めることができる。
【００１６】
しかも、アルミニウムは鋼板に比べて熱伝導率が良いので、コイル４，６で発生した熱が、アルミニウムにより構成されたエンドブラケット７およびハウジング８に伝わって効率良く放熱される。これにより、主に軽量化のためにアルミニウムにより構成したコイル４，６の内部発熱で温度上昇する電動機を効果的に冷却することができる。
【００１７】
また、本実施形態では、ファンカバー１１もアルミニウムにより構成している。このファンカバー１１も実装量が大きくなるので、電動機をより軽量化することができる。しかも、送風された空気の通路に当たるエンドブラケット７とハウジング８が熱伝導率の良いアルミニウムにより構成されているので、コイル４，６の内部発熱をエンドブラケット７およびハウジング８に効率よく伝えて、より高速に放熱させることができる。
【００１８】
本実施形態の電動機は、以上のような構成により、従来のモータに比べて、より一層の軽量化および高放熱性を実現することができる。
【００１９】
なお、上記実施形態では、羽根車９、ガイドベーン１０およびファンカバー１１を備えた羽根付きのモータを一例として説明したが、本発明はこれに限定されない。すなわち、羽根無しのモータに本発明を適用することも可能である。
【００２０】
本発明を適用可能なモータは様々である。すなわち、本発明は、ＤＣモータ、ブラシレスモータ、交流モータ、ステッピングモータ、リラクタンスモータ、リニアモータなど、様々な種類のモータに適用することが可能である。少なくとも、コイルまたは巻線、ベアリング、ブラケットおよびハウジングを備えて成るモータであれば、本発明を適用することが可能である。
【００２１】
また、コイルまたは巻線、ベアリング、ブラケットおよびハウジングを少なくとも備えるものであれば、例えば発電機などにも本発明を適用することが可能である。
【００２２】
また、上記実施形態では、アルミニウムを用いる例について説明したが、本発明はこれに限定されない。例えば、アルミニウムを主成分として含み、銅、マンガン、ケイ素、マグネシウム、亜鉛またはニッケルなどを添加したアルミニウム合金を用いてもよい。
【００２３】
その他、上記実施形態は、何れも本発明を実施するにあたっての具体化の一例を示したものに過ぎず、これによって本発明の技術的範囲が限定的に解釈されてはならないものである。すなわち、本発明はその要旨、またはその主要な特徴から逸脱することなく、様々な形で実施することができる。
【符号の説明】
【００２４】
１  シャフト
２ａ，２ｂ  ベアリング
３  ロータコア
４  ロータコイル
５  ステータコア
６  ステータコイル
７  エンドブラケット
８  ハウジング
９  羽根車
１０  ガイドベーン
１１  ファンカバー
【図１】
2013126298.tif 000003
【図２】
2013126298.tif 000004